(57)【特許請求の範囲】
【請求項１】
差し込まれる電線を弾性保持する速結端子部と、差し込まれる電線の先端と当接し回動軸を中心として回動し挿入状態を表示する表示部材と、前記速結端子部と表示部材を内装し、電線挿入口と該電線挿入口から電線が差し込まれた場合に前記表示部材が露出して、
接続状態を確認するための開口部を有するケースとから成り、
前記表示部材は、
前記回動軸から互いに略反対方向に延出する
前記電線挿入口から挿入された電線の先端と当接する電線当接部と、
端部に前記開口部から露出する表示部を有する弾性部とが設けられるとともに、
電線を挿入していない場合には開口部から表示が見えない位置に表示部を付勢せしめる復帰用弾性部材が設けられ、

前記ケースには、
電線挿入口から差し込まれた電線の先端と前記電線当接部が当接することにより回動軸を中心として回転を行い、前記開口部から表示部が一定量露出する位置で、表示部材の弾性部と当接することにより回転を規制する規制部と、
更に電線を差し込んだ場合に、電線に押圧される電線当接部と当接するリブとを備え、

前記ケースに設けられた規制部と表示部材の弾性部とが当接するまで電線を差し込む量を最低差込量として、
前記ケースに設けられたリブと表示部材の電線当接部とが当接するまで電線を差し込む量を最大差込量としたときに、

前記最低差込量を超えて最大差込量まで差し込んだ場合においても
前記弾性部材が撓むことにより表示部の開口部からの露出量が一定となることを
特徴とする速結端子の電線接続表示構造。
【請求項２】
請求項１記載の速結端子の電線接続表示構造を用いた回路遮断器。
【発明の詳細な説明】
【０００１】
【発明の属する技術分野】
本件の発明は速結端子に係り、電線と端子との接続状態の表示装置に関わる。また速決端子構造を有する回路遮断器に関する。
【０００２】
【従来の技術】
従来の速結端子の電線接続状態表示装置は、該端子を回路遮断器に用いた場合接点を開閉させる開閉機構を覆ったケースに設けられた電線との接続状態を確認する開口部と、前記開口部から目視可能な表示部とを含んで構成されている。電線と回路遮断器との接続状態の表示に関しては、電線が差し込まれる量に比例して前記開口部から表示部が露出されるというものであった。
【０００３】
【発明が解決しようとする課題】
電線の差込量と連動して表示部の露出量が決定されるため、例えば回路遮断器の場合、複数の回路遮断器が隣接して配置された際には、電線の差込量にばらつきが生じると電線の差込量如何によっては開口部より表示部が全て見えたり、また一部だけ見えたりして、表示部の見え方にばらつきが生ずる。したがって、使用者にとっては見え方にばらつきがあることにより、適切に電線が接続されている場合においても、接続状態について不安や疑念を抱く原因になっていた。
【０００４】
そこで本件の発明の目的とするところは、速結端子の電線接続状態表示構造において、接続性能が適切に保持できる最低差込量以上に電線が挿入された場合には表示部の表示が一定して行われ、使用者が目視確認を行った場合において視覚的に正確な表示が可能な構造を低コストで提供することにある。また、そのような表示構造を有する回路遮断器を提供することにより、たくさんの回路遮断器を隣接して配置した場合も、接続状態が良好な場合は表示が一定に行われて、不安や疑念を抱くことがないようにすることを目的としている。
【０００５】
【課題を解決しようとするための手段】
速結端子の電線接続表示構造を、差し込まれる電線を弾性保持する速結端子部と、差し込まれる電線の先端と当接し回動軸を中心として回動し挿入状態を表示する表示部材と、前記速結端子部と表示部材を内装し、電線挿入口と該電線挿入口から電線が差し込まれた場合に前記表示部材が露出して、接続状態を確認するための開口部を有するケースとから成り、前記表示部材は、
前記回動軸から互いに略反対方向に延出する
前記電線挿入口から挿入された電線の先端と当接する電線当接部と、
端部に前記開口部から露出する表示部を有する弾性部とが設けられるとともに、
電線を挿入していない場合には開口部から表示が見えない位置に表示部を付勢せしめる復帰用弾性部材が設けられ、

前記ケースには、
電線挿入口から差し込まれた電線の先端と前記電線当接部が当接することにより回動軸を中心として回転を行い、前記開口部から表示部が一定量露出する位置で、表示部材の弾性部と当接することにより回転を規制する規制部と、
更に電線を差し込んだ場合に、電線に押圧される電線当接部と当接するリブとを備え、

前記ケースに設けられた規制部と表示部材の弾性部とが当接するまで電線を差し込む量を最低差込量として、
前記ケースに設けられたリブと表示部材の電線当接部とが当接するまで電線を差し込む量を最大差込量としたときに、

前記最低差込量を超えて最大差込量まで差し込んだ場合においても
前記弾性部材が撓むことにより表示部の開口部からの露出量が一定となるものである。
【０００６】
また、該表示構造を有する回路遮断器を提供したものである。
【０００７】
【発明の実施の形態】
次に本発明の一実施例を図面にて詳細に説明する。
【０００８】
図１は本件発明を回路遮断器に適用した場合の一例であり、回路遮断器の電線接続状態表示構造近辺の内部構造図例を示している。図２は接続端子に電線を接続性能が適切に保持できる最低差込量だけ差し込んだ状態を表している。図３は差込可能最大量まで電線を差し込んだ状態を表した状態を表している。
【０００９】
図１において、回路遮断器は接点を開閉させる開閉機構を覆ったケース１と、負荷側に設けられた速結端子部１２を有しており、速結端子部１２は、前記ケースに設けられた電線を挿入するための電線挿入口２と、接続状態を確認するための開口部３と、差し込まれる電線を接触弾性保持する速結端子ばね部材１０と、差し込まれる電線の先端と当接し回動軸を中心として回動し挿入状態を表示する表示部材４と、前記表示部材の回動を一定位置で規制する規制部７とからなり、表示部材４は、電線挿入状態を表す表示部６と、電線を挿入していない場合には開口部から表示が見えない位置に表示部を付勢せしめる復帰用弾性部材８と、電線当接部１１とからなり、表示部と回動軸の間は、弾性的に屈曲可能とした弾性部９で構成されている。
【００１０】
次に図１において、速結表示が行われる一連の流れを説明する。初期状態では表示部材４は復帰用弾性部材８により、開口部３から表示部６が目視できない位置に付勢されている。また、復帰用弾性部材８は、規制部７近傍に作用している。
【００１１】
電線を電線挿入口２より差し込んだ場合、電線は速結端子ばね部材１０の第一当接部１０１に当接する。引き続き電線を差し込んでいくと、電線は速結端子ばね部材１０を撓ませながら内部方向に入っていき第二当接部１０２に当接する。
【００１２】
引き続き差し込んでいくと電線は速結端子ばね部材１０を撓ませながら内部方向に入っていき表示部材４の電線当接部１１に当接する。そして表示部材４は回動軸５を中心として弾性部材９の付勢力に抗して図の時計廻りに回転を始める。さらに電線を差し込むと弾性部材９が規制部７に当接する。
【００１３】
この位置における差込量が接続性能を適切に保持できる最低差込量である。この時点で表示部６は開口部３に対し一定量露出しており、目視可能である。
【００１４】
図２には電線を前記最低差込量だけ差し込んだ場合の様子を示している。この状態の差込量で電線の保持を適切に行えるように設定してある。
【００１５】
復帰用弾性部材８は初期状態と比べ、撓んだ状態となっており、表示部材４は回動軸５を中心として図の左廻りに回動付勢されている。したがって、電線を取り外した場合には表示部材４は初期状態の位置に復帰し、開口部３から目視はできないようになる。
【００１６】
図３には差込可能な最大量まで電線を差し込んだ状態を表した状態を表している。図２の状態からさらに電線を差し込んでいくと表示部材４の電線当接部１１を電線が押圧し回動軸５を中心として図の左廻りに表示部材４は回動付勢され、電線当接部１１がケース内のリブ１０１に突き当たった位置が最大差込量である。
【００１７】
このとき表示部６は規制部７によって回動を規制されているために移動することができない。そのため表示部６と回動軸５の間に設けられた弾性部９が撓むことにより表示部材４の回動付勢される力を吸収する。
【００１８】
したがって、電線が最低差込量を超えて最大差込可能量まで差し込まれた場合においても、表示部６の開口部３に対する露出量は一定となる。
【００１９】
【発明の効果】
以上のように、本件の発明によれば、速結端子の電線接続状態表示構造において、接続性能が適切に保持できる最低差込量以上に電線が挿入された場合において表示部の開口部に対する露出量が一定となり、使用者が目視確認を行った場合において視覚的に正確な表示が可能な構造を低コストで提供することができる。また、そのような表示構造を有する回路遮断器を提供することによりたくさんの回路遮断器を隣接して配置した場合も接続状態が良好な場合に表示が一定に行われて不安や疑念を抱くことがないようにできる。
【図面の簡単な説明】
【図１】回路遮断器の負荷側接続状態表示装置近辺の内部構造図例を示している。
【図２】接続端子に電線を接続性能を適切に保持できる最低差込量だけ差し込んだ状態を示している。
【図３】差込可能最大量まで電線を差し込んだ状態を示している。
【符号の説明】
１   ケース
２   電線挿入口
３   開口部
４   表示部材
５   回動軸
６   表示部
７   規制部
８    復帰用弾性部材
９    弾性部材
１０  速結端子ばね部材
１１  電線当接部
１２  速結端子部
１０１  第一当接部
１０２  第二当接部
【図１】
0004564639.tif 000002
【図２】
0004564639.tif 000003
【図３】
0004564639.tif 000004